(57)【要約】      （修正有）【課題】取り扱い容易かつ安価で、他の用途にも使用でき、さらにコンピュータへのデータ入力やデータ管理を簡単に行うことのできるクロマトグラフィー測定結果読み取り、データ入力システムを提供する。【解決手段】データ入力システム６０は、マウス１０と、マウスパッド２０とからなるシステムであり、マウス１０は位置センサ１１と、クロマトグラフィーの測定結果を読み取るための分析用センサ１３と、マウスパッド２０のパッド側ガイド２５と適合するマウス側ガイド１５と、位置センサ１１および分析用センサ１３が検知したデータをコンピュータ等の外部のデータ処理装置３０へ送信する送信手段１７とを備えてなり、一方マウスパッド２０はクロマトグラフィー用デバイス８０を収容するためのデバイス収容部２２と、マウス側ガイド１５と適合するパッド側ガイド２５とを備えた構成とする。【選択図】図１
2014021682.tif 000002
【特許請求の範囲】
【請求項１】
マウスと、マウスパッドとからなるデータ入力システムであって、該マウスは位置センサと、後記クロマトグラフィーの測定結果を読み取るための分析用センサと、後記マウスパッドのパッド側ガイドと適合するマウス側ガイドと、各センサが検知したデータを外部のデータ処理装置へ送信する送信手段とを備え、該マウスパッドはクロマトグラフィー用デバイスを収容するためのデバイス収容部と、前記マウス側ガイドと適合するパッド側ガイドとを備えていることを特徴とする、データ入力システム。
【請求項２】
マウスと、マウスパッドと、該マウスにより得られるデータを受信して処理するためのデータ処理装置により実行可能なデータ処理プログラムとからなるデータ入力システムであって、該マウスは位置センサと、後記クロマトグラフィーの測定結果を読み取るための分析用センサと、後記マウスパッドのパッド側ガイドと適合するマウス側ガイドと、各センサが検知したデータを該データ処理装置へ送信する送信手段とを備え、該マウスパッドはクロマトグラフィー用デバイスを収容するためのデバイス収容部と、前記マウス側ガイドと適合するパッド側ガイドとを備え、該データ処理プログラムは前記送信手段から送信されるデータを受信する受信手順と、受信したデータを保存し管理する保存管理手順とを該データ処理装置に実行させることを特徴とする、データ入力システム。
【請求項３】
前記位置センサが検知した位置データと前記分析用センサが検知した分析用データとを同期させて各データに係る信号を復号化させるデータ復号手段を備えていることを特徴とする、請求項１または２に記載のデータ入力システム。
【請求項４】
前記パッド側ガイドは、前記デバイス収容部のクロマトグラフィー展開方向と平行に設けられたガイドレールであることを特徴とする、請求項１ないし３のいずれかに記載のデータ入力システム。
【請求項５】
前記マウス側ガイドは、前記マウスのスライドパッドに設けられた溝であることを特徴とする、請求項４に記載のデータ入力システム。
【請求項６】
前記マウスは、前記分析用センサの作動を制御する分析用センサスイッチを備えることを特徴とする、請求項１ないし５のいずれかに記載のデータ入力システム。
【請求項７】
前記デバイス収容部に収容可能なクロマトグラフィー用デバイスを付属していることを特徴とする、請求項１ないし６のいずれかに記載のデータ入力システム。
【請求項８】
前記クロマトグラフィー用デバイスはイムノクロマト法による測定用のものであることを特徴とする、請求項７に記載のデータ入力システム。
【請求項９】
前記データ処理プログラムは、受信したデータに基づきクロマトグラフィー測定結果の分析手順を前記データ処理装置に実行させることを特徴とする、請求項２に記載のデータ入力システム。
【請求項１０】
前記マウスは光学式マウスであることを特徴とする、請求項１ないし９のいずれかに記載のデータ入力システム。
【請求項１１】
請求項１ないし１０のいずれかに記載のデータ入力システムに使用可能な、マウス。
【請求項１２】
請求項１ないし１０のいずれかに記載のデータ入力システムに使用可能な、マウスパッド。
【請求項１３】
マウスによるデータ入力システムであって、該マウスは位置センサと、後記クロマトグラフィーの測定結果を読み取るための分析用センサと、各センサが検知したデータを外部のデータ処理装置へ送信する送信手段と、クロマトグラフィー用デバイスをクロマトグラフィー展開方向に移動させるためのガイドとを備えていることを特徴とする、データ入力システム。
【発明の詳細な説明】
【技術分野】
【０００１】
本発明はデータ入力システム、マウスおよびマウスパッドに係り、特に、イムノクロマトグラフィー分野等のクロマトグラフィー分野において、取り扱い容易かつ安価で、他の用途にも使用でき、さらにコンピュータへのデータ入力やデータ管理を簡単に行うことのできるデータ入力システム等に関するものである。
【背景技術】
【０００２】
病院・診療所・介護施設・在宅医療といった医療現場においては、臨床検査専門家を要せずに患者にできるだけ近い場所で診断するための検査、すなわちＰＯＣＴ（Ｐｏｉｎｔ  ｏｆ  Ｃａｒｅ  Ｔｅｓｔｉｎｇ）の必要性が高まっている。ＰＯＣＴによれば、即座に得られる検査情報に基づいて、迅速かつ的確な治療が可能となるからである。そしてＰＯＣＴ用の検査装置として、イムノクロマト法を原理とするイムノクロマトグラフィー装置が、従来から使用されている。
【０００３】
イムノクロマト法は、採取血液・尿・患部組織などの分析対象物（検体）が毛細管現象により多孔質支持体内をする際、金コロイド等の標識粒子（抗体）に捕捉され、さらに多孔質支持体に局所的に固定化された捕捉物質（固定化抗体）と効率的に接触することにより免疫複合体が形成されて、検体が視認可能または可視化可能な集積として検出されることを原理とする。判定までに要する時間が短く（２０分以下）、迅速な検査が可能であり、また検体を装置に滴下するという簡単な操作のみで測定可能である。
【０００４】
イムノクロマトグラフィー装置については従来、技術的な提案も多くなされている。たとえば後掲特許文献１には、検体（試液）が可視化物質結合抗体層を通って展開層に入ったことを容易に確認することができるイムノクロマトセンサとして、試液吸収部、可視化物質結合抗体層、および抗原抗体反応に充分な大きさの展開層を備えたテストストリップと、テストストリップを収容するハウジングとからなるセンサであって、展開層には固定抗原を設けた判定部を、ハウジングに判定部を外部から目視することができる窓部を、可視化物質結合抗体層の少なくとも一部を外部から目視できる窓部をそれぞれ設けたイムノクロマトセンサが開示されている。
【０００５】
また特許文献２には、簡便迅速で高感度のイムノクロマトグラフキットとして、有機銀塩粒子、銀イオンのための還元剤、および金属コロイド標識または金属硫化物標識を含有するイムノクロマトグラフキットが開示されている。また特許文献３には、形状の異なるケーシングに対応できるイムノクロマト試験片の読取装置として、イムノクロマト試験具のケーシングの外形形状に対応する形状の窪みが複数設けられたカートリッジを用いる読取装置の構成が開示されている。
【先行技術文献】
【特許文献】
【０００６】
【特許文献１】特開２０１０−１５６６４２号公報「イムノクロマトセンサ」
【特許文献２】特開２００８−１３９２９７号公報「イムノクロマトグラフキット」
【特許文献３】特開２００５−１１４６７７号公報「免疫クロマト試験片の読取装置」
【発明の概要】
【発明が解決しようとする課題】
【０００７】
しかし、各特許文献開示のものも含めて従来技術はいずれも、独立した分析装置たるイムノクロマトグラフィー装置や読み取り装置（クロマトリーダ）自体の構造を検討・改良することによって、測定の容易化、迅速化、高精度化あるいは利便性向上を図るものである。特に、それ自体または検体を移動させつつ測定を行うクロマトリーダは、高価であるとともに、それ自体として置き場所をとる、専用品である。
【０００８】
しかも、読み取ったデータを事後にコンピュータにて保存したり、処理したりできると便利であるが、そのためには事後の入力作業が必要となる。より取り扱い容易かつ安価で、他の用途にも使用でき、さらにコンピュータへのデータ入力も簡単に行うことができて、データ管理も簡単に行える装置があれば便利である。
【０００９】
そこで本発明が解決しようとする課題は、かかるイムノクロマトグラフィー分野における従来技術の問題を解消し、取り扱い容易かつ安価で、他の用途にも使用でき、さらにコンピュータへのデータ入力も、データ管理も簡単に行うことのできる装置等を提供することである。また、イムノクロマトグラフィー分野のみならず、広くクロマトグラフィー分野における同様の利用も可能な装置等を提供することである。
【課題を解決するための手段】
【００１０】
本願発明者は上記課題について検討した結果、コンピュータのポインティングデバイスであるマウスに、クロマトグラフィーにおける読み取り装置機能（クロマトリーダ機能）を組み込む創案に基づいて課題を解決できることに想到し、本発明に至った。すなわち、上記課題を解決するための手段として本願で特許請求される発明、もしくは少なくとも開示される発明は、以下の通りである。
【００１１】
（１）  マウスと、マウスパッドとからなるデータ入力システムであって、該マウスは位置センサと、後記クロマトグラフィーの測定結果を読み取るための分析用センサと、後記マウスパッドのパッド側ガイドと適合するマウス側ガイドと、各センサが検知したデータを外部のデータ処理装置へ送信する送信手段とを備え、該マウスパッドはクロマトグラフィー用デバイスを収容するためのデバイス収容部と、前記マウス側ガイドと適合するパッド側ガイドとを備えていることを特徴とする、データ入力システム。
（２）  マウスと、マウスパッドと、該マウスにより得られるデータを受信して処理するためのデータ処理装置により実行可能なデータ処理プログラムとからなるデータ入力システムであって、該マウスは位置センサと、後記クロマトグラフィーの測定結果を読み取るための分析用センサと、後記マウスパッドのパッド側ガイドと適合するマウス側ガイドと、各センサが検知したデータを該データ処理装置へ送信する送信手段とを備え、該マウスパッドはクロマトグラフィー用デバイスを収容するためのデバイス収容部と、前記マウス側ガイドと適合するパッド側ガイドとを備え、該データ処理プログラムは前記送信手段から送信されるデータを受信する受信手順と、受信したデータを保存し管理する保存管理手順とを該データ処理装置に実行させることを特徴とする、データ入力システム。
（３）  前記位置センサが検知した位置データと前記分析用センサが検知した分析用データとを同期させて各データに係る信号を復号化させるデータ復号手段を備えていることを特徴とする、（１）または（２）に記載のデータ入力システム。
【００１２】
（４）  前記パッド側ガイドは、前記デバイス収容部のクロマトグラフィー展開方向と平行に設けられたガイドレールであることを特徴とする、（１）ないし（３）のいずれかに記載のデータ入力システム。
（５）  前記マウス側ガイドは、前記マウスのスライドパッドに設けられた溝であることを特徴とする、（４）に記載のデータ入力システム。
（６）  前記マウスは、前記分析用センサの作動を制御する分析用センサスイッチを備えることを特徴とする、（１）ないし（５）のいずれかに記載のデータ入力システム。
【００１３】
（７）  前記デバイス収容部に収容可能なクロマトグラフィー用デバイスを付属していることを特徴とする、（１）ないし（６）のいずれかに記載のデータ入力システム。
（８）  前記クロマトグラフィー用デバイスはイムノクロマト法による測定用のものであることを特徴とする、（７）に記載のデータ入力システム。
（９）  前記データ処理プログラムは、受信したデータに基づきクロマトグラフィー測定結果の分析手順を前記データ処理装置に実行させることを特徴とする、（２）に記載のデータ入力システム。
（１０）  前記マウスは光学式マウスであることを特徴とする、（１）ないし（９）のいずれかに記載のデータ入力システム。
（１１）  （１）ないし（１０）のいずれかに記載のデータ入力システムに使用可能な、マウス。
（１２）  （１）ないし（１０）のいずれかに記載のデータ入力システムに使用可能な、マウスパッド。
（１３）  マウスによるデータ入力システムであって、該マウスは位置センサと、後記クロマトグラフィーの測定結果を読み取るための分析用センサと、各センサが検知したデータを外部のデータ処理装置へ送信する送信手段と、クロマトグラフィー用デバイスをクロマトグラフィー展開方向に移動させるためのガイドとを備えていることを特徴とする、データ入力システム。
【発明の効果】
【００１４】
本発明のデータ入力システム、マウスおよびマウスパッドは上述のように構成されるため、これによれば、イムノクロマト法を実施する際の操作・取り扱いが容易となり、医療分野等における化学分析を簡易化し、かつ低価格化することができる。また、本発明のマウスおよびマウスパッドは、普段は通常のポインティングデバイスとして使用可能であり、必要時にかかる分析目的すなわちクロマトリーダ的な用途に使用することができるため、それぞれ別々の装置を用意する必要がなく、装置の体系をコンパクト化でき、便利かつ安価な測定を実現できる。本発明に係るマウスは、普段は普通のマウスとして使用できるコンパクトな分析装置として機能することができる。
【００１５】
さらに本発明のデータ入力システム等によれば、測定と同時にコンピュータ等のデータ処理装置への入力も行うことができ、測定の高精度化とデータ管理の簡易化をも、安価に実現することができる。さらに、予めデータ処理プログラムが格納されているもしくは格納可能なデータ処理装置が準備されている場所であれば、後はマウスおよびマウスパッドのセットさえあれば測定可能であり、したがって持ち運びも便利、容易である。なおまた本発明は、イムノクロマトグラフィー分野のみならず広くクロマトグラフィー分野全般においても適用することができる。
【図面の簡単な説明】
【００１６】
【図１】本発明のデータ入力システムの基本構成を示す概念図である。
【図２】本発明のデータ入力システムの別の基本構成を示す概念図である。
【図３Ａ】本発明に係るマウスパッドの構成例を示す平面図および断面図である。
【図３Ｂ】クロマトグラフィー用デバイス８０を収容した状態の図３Ａのマウスパッドを示す平面図および断面図である。
【図４Ａ】本発明に係るマウスの構成例を示す平面図（オモテ面）および側面図である。
【図４Ｂ】図４Ａのマウスの底面図（ウラ面）である。
【図５】図３Ａ等に示したマウスおよびマウスパッドを用いたクロマトグラフィー測定結果読み取り方法を示す説明図である。
【図６Ａ】マウスのみからなる本発明データ入力システムの構成例を示す平面図（オモテ面）、側面図および底面図（ウラ面）である。
【図６Ｂ】図６Ａに示す構成例の使用方法を示す側面図および底面図である。
【発明を実施するための形態】
【００１７】
以下、図面により本発明を詳細に説明する。
図１は、本発明のデータ入力システムの基本構成を示す概念図である。図示するように本データ入力システム６０は、マウス１０と、マウスパッド２０とからなるシステムであり、マウス１０は位置センサ１１と、クロマトグラフィーの測定結果を読み取るための分析用センサ１３と、マウスパッド２０のパッド側ガイド２５と適合するマウス側ガイド１５と、位置センサ１１および分析用センサ１３が検知したデータをコンピュータ等の外部のデータ処理装置３０へ送信する送信手段１７とを備えてなり、一方マウスパッド２０はクロマトグラフィー用デバイス８０を収容するためのデバイス収容部２２と、マウス側ガイド１５と適合するパッド側ガイド２５とを備えていることを、主たる構成とする。なおパッド側ガイド２５は、デバイス収容部２２にクロマトグラフィー用デバイス８０が収容された際のクロマトグラフィー展開方向と平行に設けられた構造とすることができる。
【００１８】
かかる構成により本データ入力システム６０によれば、まず、マウスパッド２０上にあるデバイス収容部２２にクロマトグラフィー用デバイス８０が収容、セットされ、マウスパッド２０上のパッド側ガイド２５にマウス側ガイド１５が適合するような位置、かつ測定結果読み取りのための初期位置にマウス１０がマウスパッド２０上に置かれ、これによってデバイス収容部２２中に収容されたクロマトグラフィー用デバイス８０の測定結果読み取りの準備がなされる。
【００１９】
ついで、マウス１０はパッド側ガイド２５による位置規制を受けた状態で、マウスパッド２０上を移動せしめられ、これによってマウス１０の分析用センサ１３はクロマトグラフィー用デバイス８０のクロマトグラフィー展開方向へと移動すなわちスキャンされ、クロマトグラフィー測定結果が分析用センサ１３によって検知すなわち読み取られ、読み取られたデータは送信手段１７によって外部のデータ処理装置３０へ送信される。
【００２０】
なお、かかるクロマトリーダとして用いる場合以外の場合において、マウス１０が本来のポインティングデバイスとして使用可能であることはいうまでもないが、クロマトリーダとして用いる場合にも同時に位置センサ１１を機能させて、クロマトグラフィー測定結果データおよびこれと同時に得られる位置データを、ともに送信手段１７によってデータ処理装置３０に送信可能な構成とすることができる。むしろ、クロマトグラフィー測定結果データと位置データを同期させて取り込む構成とすることで、データ処理装置３０における可能なデータ処理の幅を広げることができ、望ましい。
【００２１】
図２は、本発明のデータ入力システムの別の基本構成を示す概念図である。図示するように本データ入力システム７０は、図１に示した構成を全て備えた上、マウス１０により得られるデータを受信して処理するための本システム７０外のデータ処理装置３０により実行可能な、データ処理プログラム５０をさらに加えて、構成するものとすることができる。なおデータ処理プログラム５０は、送信手段１７から送信されるデータを受信する受信手順と、受信したデータを保存し管理する保存管理手順とを備えて構成され、データ処理装置３０にこれらの手順を実行させるものである。
【００２２】
このようにデータ処理プログラム５０をさらに備えた構成の本発明データ入力システム７０によれば、データ処理プログラム５０によって外部のデータ処理装置３０に対して所定の処理を実行させることができる。すなわちデータ処理プログラム５０の受信手順によって、データ処理装置３０はマウス１０の送信手段１７から送信されてきたクロマトグラフィー測定結果データや位置データを受信し、ついで保存管理手順によって、データ処理装置３０は受信したデータを保存し管理する。ここでデータの保存は、データ処理装置３０内のサーバ等の保存手段でも、外部のサーバや媒体等の保存手段でもよい。
【００２３】
またデータ処理プログラム５０はさらに、受信したデータに基づきクロマトグラフィー測定結果の分析手順を含む構成とすることができる。かかる構成により、データ処理プログラム５０の分析手順によって、データ処理装置３０はすでに受信したデータに基づきクロマトグラフィー測定結果の分析を実行する。なお具体的な分析内容・仕様等は、適宜の構成とすることができる。
【００２４】
なお本発明に係るデータ処理プログラム５０は、適宜の媒体に格納されたものであってもよく、この場合はかかる媒体もまた本発明の範囲内である。また、データ処理プログラム５０は、本発明システム７０構成外のデータ処理装置３０内に格納された状態で使用することも、もちろん可能である。
【００２５】
なお上掲各図には示さないが、本発明のデータ入力システム６０、７０は、位置センサ１１が検知した位置データと分析用センサ１３が検知した分析用データとを同期させて各データに係る信号を復号化させるデータ復号手段を備えた構成とすることができる。
【００２６】
かかる構成により、位置センサ１１により検知された位置データと分析用センサ１３により検知された分析用データとが、データ復号手段によって同期せしめられ、各データに係る信号が復号化した信号として、送信手段１７によってデータ処理装置３０へと送信され、データ処理装置３０によって受信される。すなわち、上記２種類のデータのデータ処理装置３０への入力が復号化された信号として同時になされ、測定結果読み取りの高精度化とデータ管理の簡易化を実現することができる。
【００２７】
図３Ａは、本発明に係るマウスパッドの構成例を示す平面図および断面図である。また、
図３Ｂは、クロマトグラフィー用デバイス８０を収容した状態の図３Ａのマウスパッドを示す平面図および断面図、
図４Ａは、本発明に係るマウスの構成例を示す平面図（オモテ面）および側面図、
図４Ｂは、図４Ａのマウスの底面図（ウラ面）である。これらに図示するように本発明データ入力システムにおいては、マウスパッド２０のパッド側ガイド３２５は、デバイス収容部３２２にクロマトグラフィー用デバイス３８０が収容された場合のクロマトグラフィー展開方向と平行に設けられたガイドレールとすることができる。
【００２８】
またマウス３１０のマウス側ガイド３１５は、パッド側ガイド３２５と適合するような形態でマウス３１０のスライドパッド３１８に設けられた溝とすることができる。かかる構成によって、マウスパッド３２０上にマウス３１０を載せる際、ガイドレール状構造として形成されているパッド側ガイド３２５にスライドパッド３１８の溝として形成されているマウス側ガイド３１５が嵌合するように載せることができる。この状態でマウス３１０をマウスパッド３２０上にて上方（図における上方）に移動させると、マウス３１０の分析用センサ３１３はデバイス収容部３２２の長手方向上をスキャンする状態で移動し、デバイス収容部３２２にクロマトグラフィー用デバイス３８０が収容されている場合は、そのクロマトグラフィー展開方向へのスキャンがなされ、クロマトグラフィー測定結果の読み取りがなされる。
なお図５は、図３Ａ等に示したマウスおよびマウスパッドを用いたクロマトグラフィー測定結果読み取り方法を示す説明図である。図中の矢印は、スキャン方向である。
【００２９】
このように、パッド側ガイド３２５とマウス側ガイド３１５とを嵌合する形態に形成することにより、クロマトグラフィー測定結果のスキャンに適したマウスおよびマウスパッドのセットとすることができる。もっとも、本発明のガイドがかかる構造に限定されるものではなく、たとえばパッド側ガイドおよびマウス側ガイドの双方をレール状（凸状）として、後者を前者に添わせてスライドさせる方式にするなど、要するに移動体であるマウスがガイドされる構造であればよい。
【００３０】
なお図４Ａ等に示すように、本発明システムに係るマウス３１０は、ポインティングデバイスとして用いる際のダイヤル３１２その他のスイッチとは別に、分析用センサ３１３の作動を制御する分析用センサスイッチ３１４を備えた構成とすることができる。これにより、分析用センサスイッチ３１４の操作によって、クロマトリーダとしての機能の開始・終了等の制御を、簡単に行える仕様とすることができる。
【００３１】
本発明システムに用いるマウスとしては、光学式マウスを好適に用いることができる。また、本データ入力システムを構成するマウスおよびマウスパッド自体も、本発明の範囲内である。
【００３２】
図５等に示したデータ入力システムでは、次のようにクロマトグラフィー測定結果の読み取り、入力がなされる。マウスパッド３２０のデバイス収容部３２２にクロマトグラフィー用デバイス３８０（検体）を収容し、パッド側ガイド３２５にマウス側ガイド３１５が適合するようにマウス３１０をマウスパッド３２０上に載せ、分析用センサスイッチ３１４を押す等して測定結果読み取りモードにする。そしてマウス３１０を、パッド側ガイド３２５上をスライドさせるようにして移動させる。
【００３３】
これにより、位置センサ３１１付近に設けた分析用センサ３１３がクロマトグラフィー用デバイス３８０をその展開方向にスキャンすることになり、同センサ３１３はクロマトリーダとして機能する。すなわち、位置センサ３１１による位置データ（移動データ）とともに、分析用センサ３１３からの明暗情報あるいはその他のクロマトグラフィー測定結果データが、送信手段（図示せず）によって、コンピュータ等の外部のデータ処理装置３０に送信され、そこでのデータ処理に供される。
【００３４】
なお、本発明のデータ入力システムは特に、クロマトグラフィー用デバイスをイムノクロマト法による測定用のものとして、イムノクロマト法用に特化したシステムとしてもよい。もちろん、それ以外のクロマトグラフィー用にも本発明は用いることができる。なおまた、本発明データ入力システムは、デバイス収容部に収容可能なクロマトグラフィー用デバイスを付属した形態としてもよい。
【００３５】
図６Ａは、マウスのみからなる本発明データ入力システムの構成例を示す平面図（オモテ面）、側面図および底面図（ウラ面）である。また、
図６Ｂは、図６Ａに示す構成例の使用方法を示す側面図および底面図である。これらに示すように、マウスパッドを用いずにマウスのみであっても、データ入力システムを構成することができる。すなわち、位置センサと、クロマトグラフィーの測定結果を読み取るための分析用センサと、各センサが検知したデータを外部のデータ処理装置へ送信する送信手段とを備えたマウスに、さらにクロマトグラフィー用デバイスをクロマトグラフィー展開方向に移動させるためのガイドを設けることによって、上述したようなマウスパッドを用いないデータ入力システムを構成できる。なお本例では、分析用センサと位置センサを、図示するようにデバイスが移動する線上に設けることが、より望ましい。
【００３６】
図６Ｂに示すように、本例を用いてデバイスからの読み取りを行う場合は、マウスを裏返し、デバイスに適合するように形成されているガイドにデバイスを置き、ガイドに沿ってスライドさせることによって行う。これによりデバイスは、マウスの分析用センサの上を（本例では位置センサの上も）を通過し、それにより測定結果読み取りがなされる。なお、マウスを裏返して使用する際のマウス上面のスイッチの誤動作を防ぐために、たとえば、一度分析用センサスイッチが押された後は、読み取りが完了するまでは測定モードを維持するように制御する、といった方法をとることができる。
【産業上の利用可能性】
【００３７】
本発明のデータ入力システム、マウスおよびマウスパッドによれば、イムノクロマト法を実施する際の操作・取り扱いが容易となり、医療分野等における化学分析を簡易化し、低価格化することができる等、利点が多い。また本発明は、イムノクロマトグラフィー分野のみならず広くクロマトグラフィー分野全般においても適用することもできる。したがって、医療分野、分析分野およびこれらに関連するあらゆる産業分野、技術分野において、産業上利用性が高い発明である。
【符号の説明】
【００３８】
１０、３１０…マウス
１１、３１１…位置センサ
１３、３１３…分析用センサ
１５、３１５…マウス側ガイド
１７…送信手段
２０、３２０…マウスパッド
２２、３２２…デバイス収容部
２５、３２５…パッド側ガイド
３０…データ処理装置
５０…データ処理プログラム
６０、７０…データ入力システム
８０、３８０…クロマトグラフィー用デバイス
３１２…ダイヤル
３１４…分析用センサスイッチ
３１８…スライドパッド
３１９…端子
【図１】
2014021682.tif 000003
【図２】
2014021682.tif 000004
【図３Ａ】
2014021682.tif 000005
【図３Ｂ】
2014021682.tif 000006
【図４Ａ】
2014021682.tif 000007
【図４Ｂ】
2014021682.tif 000008
【図５】
2014021682.tif 000009
【図６Ａ】
2014021682.tif 000010
【図６Ｂ】
2014021682.tif 000011